(57)【要約】【課題】  横押し操作に対する強度を確保し、安価に提供することが可能な押釦スイッチを提供する。【解決手段】  収納部１ａに摺動可能に収納され、ハウジング１の側部より外方へ突出する押圧部６ａを有する操作部材６と、ハウジング１の上部に取り付けられて収納部１ａを覆うと共に、操作部材６の一部が当接可能な案内部を有する金属板製の蓋体７とを備え、押圧部６ａを横方向から押圧することにより案内部に操作部材６の一部を当接させて該当接部を可動接点４の押圧方向へ案内して可動接点４を固定接点２と接離させる押釦スイッチであって、案内部は、蓋体７よりハウジング１の収納部１ａ内に操作部材６の押圧方向に沿って折り曲げられた傾斜部７ｄと、傾斜部７ｄの両側部に連続して設けられると共に、蓋体７と接続された略三角形状の接続部７ｅとからなる。【選択図】        図２
2006244977.tif 000002
【特許請求の範囲】
【請求項１】
収納部を有するハウジングと、前記収納部の内底部に設けられた固定接点と、この固定接点上に配設された可動接点と、前記収納部に摺動可能に収納され、前記ハウジングの側部より外方へ突出する押圧部を有する操作部材と、前記ハウジングの上部に取り付けられて前記収納部を覆うと共に、前記操作部材の一部が当接可能な案内部を有する金属板製の蓋体とを備え、前記押圧部を横方向から押圧することにより前記案内部に前記操作部材の一部を当接させて該当接部を前記可動接点の押圧方向へ案内して前記可動接点を前記固定接点と接離させる押釦スイッチであって、前記案内部は、前記蓋体より前記ハウジングの収納部内に前記操作部材の押圧方向に沿って折り曲げられた傾斜部と、この傾斜部の両側部に連続して設けられると共に、前記蓋体と接続された略三角形状の接続部とからなることを特徴とする押釦スイッチ。
【請求項２】
前記操作部材は、前記押圧部と、この押圧部から前記収納部内に突出して前記案内部と当接する作動部と、この作動部の周りに設けられた開口部を介して、前記作動部の両側部及び後部を囲むように前記押圧部に接続して形成されると共に、前記収納部内を摺動可能なスライド部とを備え、前記蓋体には、前記案内部の後端を切り欠いて下方へ折り曲げることにより前記傾斜部及び接続部を形成し、前記開口部内に前記傾斜部及び接続部を配置すると共に、前記傾斜部と前記作動部の当接部とを対向させたことを特徴とする請求項１記載の押釦スイッチ。
【請求項３】
前記操作部材は、前記押圧部と、この押圧部から前記収納部内に突出して前記案内部と当接する作動部と、この作動部の周りに設けられた開口部を介して、前記作動部の両側部及び後部を囲むように前記押圧部に接続して形成されると共に、前記収納部内を摺動可能なスライド部とを備え、前記蓋体には、前記案内部の後端を下方へ切り曲げることにより前記傾斜部及び接続部を形成し、前記開口部内に前記傾斜部及び接続部を配置すると共に、前記傾斜部と前記作動部の当接部とを対向させたことを特徴とする請求項１記載の押釦スイッチ。
【請求項４】
前記傾斜部あるいは前記作動部の当接部に、低摩擦部材を設けたことを特徴とする請求項１乃至３の何れかに記載の押釦スイッチ。
【請求項５】
前記傾斜部あるいは前記作動部の当接部の表面に、フッ素系樹脂をコーティングすることにより前記低摩擦部材を形成したことを特徴とする請求項４記載の押釦スイッチ。
【請求項６】
前記作動部を、フッ素系樹脂を練り込んだ成形樹脂で形成することにより前記低摩擦部材を形成したことを特徴とする請求項４記載の押釦スイッチ。
【請求項７】
前記作動部の当接部には、前記傾斜部との摺動面が線接触となるように摺動方向を横切る方向に延びる半円筒状部を形成したことを特徴とする請求項１乃至６の何れかに記載の押釦スイッチ。
【発明の詳細な説明】
【技術分野】
【０００１】
本発明は、各種電気機器に使用される押釦スイッチに係り、特に、薄型の横押しタイプの押釦スイッチに関する。
【背景技術】
【０００２】
従来の横押しタイプの押釦スイッチの構造としては、開口を有するハウジングと、開口の内底部に設けられた固定接点と、この固定接点上に配置された可動接点と、この可動接点上に設けられた防塵用シートと、該シートを介して可動接点を作動させる操作部材と、ハウジングの上部に取付けられ、開口を覆うふた体とから構成されたものが知られている（例えば、特許文献１参照）。
この従来のスイッチ用接点板用いた押釦スイッチの構造を図１３、図１４に示す。図１３は従来の押釦スイッチの分解斜視図、図１４は従来の押釦スイッチの断面図である。
【０００３】
図において、固定接点１２、１３は、インサート成形によりハウジング１１と一体的に形成され、該固定接点１２、１３からそれぞれ導出された外部端子１２ａ、１３ａがハウジング１１の外壁に設けられている。また。ハウジング１１は、四隅よりそれぞれ上方へ突出する４個の突起２０と、これらの突起２０の近傍にそれぞれ設けられ、操作部材１６を案内する案内部２１と、一方の側端より上方へ突出する壁部２２と、他方の側端より外方へ突出するブロック部２３と、該他方の側端の突起２０よりそれぞれ外方へ突出し、ふた体１７を係止する係止部２４、２５とを備えている。
【０００４】
可動接点１４は、弾性を有する薄肉金属板からなり、ハウジング１１の開口１０内に配置される。この可動接点１４は、操作部材１６の移動方向と平行な２本の切欠き２６を有し、周辺部２７が固定接点１２と常時接触するとともに、中央部２８が上方へ湾曲した状態で他の固定接点１３上に位置する。上述した防塵用シート１５は、周囲がハウジング１１の上面１１ａに載置され、このシート１５上に操作部材１６が載置される。
【０００５】
ふた体１７は、四隅に設けられ、前記突起２０とそれぞれ係合する切り欠き３０と、側端より下方に突出し、ハウジング１１の上面１１ａおよび案内部２１の上端に当接する壁部３１と、他の側端から下方へ突出し、前記係止部２４、２５にそれぞれ係合する一対の腕部３２を備えている。また、該ふた体１７は、中央部よりハウジング１１内側に切り起こされ、可動接点１４の中央部２８と対向する傾斜片３３を備える。この傾斜片３３を形成するには、図示を省略したが操作部材１６の移動方向と平行な一対の切り欠きを設け、この切り欠き間の長方形部分の壁部２２側の端部を切り落して、下方にＶ字状に折り曲げるようになっている。
【０００６】
操作部材１６は、合成樹脂から一体に成型される。この操作部材１６は、傾斜片３３および可動接点１４の中央部２８間に介設された作動部３４と、この作動部３４の側方に設けられ、前記案内部２１上を摺動するコの字状のガイド部３５と、ハウジング１１の側部より外方へ突出する押圧部３６とからなる。前記作動部３４は、薄肉部３４ａを介して押圧部３６に連結され、弾性を有している。前記ガイド部３５の上面には、操作部材１６の移動方向とそれぞれ平行で、ふた体１７の裏面を摺動する一対のガイド用突起３７が設けられ、同様にガイド部３５の下面にも、該操作部材１６の移動方向とそれぞれ平行な一対のガイド用突起３８が設けられる。また、作動部３４およびガイド部３５によって形成される開口３９には、傾斜片３３が係合する。
【０００７】
上記構成の押釦スイッチの操作部材１６の押圧部３６を、図１２の左方向へブロック部２３に当接するまで押圧すると、ふた体１７よりハウジング１１内側に切り起こされた傾斜片３３上を操作部材１６の作動部３４が摺動することにより案内され、これに伴い、該作動部３４が薄肉部３４ａで弾性変形しながら図１２の反時計方向へ回動するので、この作動部３４の先端がシート１５を介して可動接点１４の中央部２８を押圧する。これによって、該中央部２８は下方へ反転して固定接点１３と接触してスイッチ・オンの状態となる。
【０００８】
【特許文献１】実用新案登録第２５７２５９０号公報
【発明の開示】
【発明が解決しようとする課題】
【０００９】
しかしながら、上述した従来の押釦スイッチにおいては、押圧部からの荷重を片持ち梁状の傾斜片の自由端で受けるため、押圧部に過大な衝撃や高荷重を受けた場合、傾斜片が変形して傾斜角度が変わってしまう可能性があり、操作感触が低下したりスイッチ切り換え位置がばらついてしまう可能性があった。そのため、強度を増すために蓋体の板厚を薄くできず、コストアップになるうえ、小型化を阻害する要因となっていた。
【００１０】
従って、本発明は上記した問題点を解決し、横押し操作に対する強度を確保し、安価に提供することが可能な押釦スイッチを提供することを目的とする。
【課題を解決するための手段】
【００１１】
上記課題を解決するために本発明では第１の解決手段として、収納部を有するハウジングと、前記収納部の内底部に設けられた固定接点と、この固定接点上に配設された可動接点と、前記収納部に摺動可能に収納され、前記ハウジングの側部より外方へ突出する押圧部を有する操作部材と、前記ハウジングの上部に取り付けられて前記収納部を覆うと共に、前記操作部材の一部が当接可能な案内部を有する金属板製の蓋体とを備え、前記押圧部を横方向から押圧することにより前記案内部に前記操作部材の一部を当接させて該当接部を前記可動接点の押圧方向へ案内して前記可動接点を前記固定接点と接離させる押釦スイッチであって、前記案内部は、前記蓋体より前記ハウジングの収納部内に前記操作部材の押圧方向に沿って折り曲げられた傾斜部と、この傾斜部の両側部に連続して設けられると共に、前記蓋体と接続された略三角形状の接続部とからなる構成とした。
【００１２】
また、第２の解決手段として、前記操作部材は、前記押圧部と、この押圧部から前記収納部内に突出して前記案内部と当接する作動部と、この作動部の周りに設けられた開口部を介して、前記作動部の両側部及び後部を囲むように前記押圧部に接続して形成されると共に、前記収納部内を摺動可能なスライド部とを備え、前記蓋体には、前記案内部の後端を切り欠いて下方へ折り曲げることにより前記傾斜部及び接続部を形成し、前記開口部内に前記傾斜部及び接続部を配置すると共に、前記傾斜部と前記作動部の当接部とを対向させた構成とした。
また、第３の解決手段として、前記操作部材は、前記押圧部と、この押圧部から前記収納部内に突出して前記案内部と当接する作動部と、この作動部の周りに設けられた開口部を介して、前記作動部の両側部及び後部を囲むように前記押圧部に接続して形成されると共に、前記収納部内を摺動可能なスライド部とを備え、前記蓋体には、前記案内部の後端を下方へ切り曲げることにより前記傾斜部及び接続部を形成し、前記開口部内に前記傾斜部及び接続部を配置すると共に、前記傾斜部と前記作動部の当接部とを対向させた構成とした。
【００１３】
また、第４の解決手段として、前記傾斜部あるいは前記作動部の当接部に、低摩擦部材を設けた構成とした。
また、第５の解決手段として、前記傾斜部あるいは前記作動部の当接部の表面に、フッ素系樹脂をコーティングすることにより前記低摩擦部材を形成した構成とした。
また、第６の解決手段として、前記作動部を、フッ素系樹脂を練り込んだ成形樹脂で形成することにより前記低摩擦部材を形成した構成とした。
また、第７の解決手段として、前記作動部の当接部には、前記傾斜部との摺動面が線接触となるように摺動方向を横切る方向に延びる半円筒状部を形成した構成とした。
【発明の効果】
【００１４】
上述したように、本発明の押釦スイッチは、収納部を有するハウジングと、収納部の内底部に設けられた固定接点と、固定接点上に配設された可動接点と、収納部に摺動可能に収納され、ハウジングの側部より外方へ突出する押圧部を有する操作部材と、ハウジングの上部に取り付けられて収納部を覆うと共に、操作部材の一部が当接可能な案内部を有する金属板製の蓋体とを備え、押圧部を横方向から押圧することにより案内部に操作部材の一部を当接させて該当接部を可動接点の押圧方向へ案内して可動接点を固定接点と接離させる押釦スイッチであって、案内部は、蓋体よりハウジングの収納部内に操作部材の押圧方向に沿って折り曲げられた傾斜部と、傾斜部の両側部に連続して設けられると共に、蓋体と接続された略三角形状の接続部とからなることから、案内部は傾斜部と接続する略三角形状の接続部で蓋体と接続されて一体化されるため、過大な衝撃や高荷重を受けた場合の押圧による傾斜部の傾斜角度の変化を抑制できるので、蓋体の材料選択の自由度が増し、安価に提供することができる。また、蓋体の板厚を薄くできるので、小型化が図れると共に、蓋体の天面の開口部が小さくなるので自動機での吸引による搬送が可能となり組立性が向上する。
【００１５】
また、操作部材は、押圧部と、押圧部から収納部内に突出して案内部と当接する作動部と、作動部の周りに設けられた開口部を介して、作動部の両側部及び後部を囲むように押圧部に接続して形成されると共に、収納部内を摺動可能なスライド部とを備え、蓋体には、案内部の後端を切り欠いて下方へ折り曲げることにより傾斜部及び接続部を形成し、開口部内に傾斜部及び接続部を配置すると共に、傾斜部と作動部の当接部とを対向させたことから、操作部材は両側部と後部とが接続されたスライド部により摺動されるため、押圧部の傾きや成形時の変形を防止して確実に摺動案内できると共に、スライド部と蓋体の案内部との当接を回避でき、スイッチの奥行き方向の小型化が図れる。
また、操作部材は、押圧部と、押圧部から収納部内に突出して案内部と当接する作動部と、作動部の周りに設けられた開口部を介して、作動部の両側部及び後部を囲むように押圧部に接続して形成されると共に、収納部内を摺動可能なスライド部とを備え、蓋体には、案内部の後端を下方へ切り曲げることにより傾斜部及び接続部を形成し、開口部内に傾斜部及び接続部を配置すると共に、傾斜部と作動部の当接部とを対向させたことから、同じく、操作部材は両側部と後部とが接続されたスライド部により摺動されるため、押圧部の傾きや成形時の変形を防止して確実に摺動案内できると共に、スライド部と蓋体の案内部との当接を回避でき、スイッチの奥行き方向の小型化が図れる。
【００１６】
また、傾斜部あるいは作動部の当接部に、低摩擦部材を設けたことから、傾斜部と作動部との摺動による摩擦抵抗を減らすことができるので、操作性が良好となる。
また、傾斜部あるいは作動部の当接部の表面に、フッ素系樹脂をコーティングすることにより低摩擦部材を形成したことから、容易に低摩擦部材を形成でき、確実に摩擦抵抗を減らすことができる。
また、作動部を、フッ素系樹脂を練り込んだ成形樹脂で形成することにより低摩擦部材を形成したことから、同じく、容易に低摩擦部材を形成でき、確実に摩擦抵抗を減らすことができる。
また、作動部の当接部には、傾斜部との摺動面が線接触となるように摺動方向を横切る方向に延びる半円筒状部を形成したことから、傾斜部と作動部との摺動による摩耗を抑制することができるので、長寿命化が可能となる。また、ドーム状の可動接点に対して作動部の左右のずれを矯正できるので、ドーム状の可動接点の頂部を確実に押圧でき、良好な操作感触が得られる。
【発明を実施するための最良の形態】
【００１７】
以下、本発明の実施の形態を図１乃至図１２に示す。図１は本発明の押釦スイッチを示す平面図、図２は本発明の押釦スイッチを示す断面図、図３は本発明の押釦スイッチの枠体を外した状態を示す平面図、図４は本発明の押釦スイッチの蓋体を外した状態を示す断面図、図５は蓋体を示す平面図、図６は蓋体を示す断面図、図７及び図８は本発明の押釦スイッチの動作状態を示す説明図、図９は本発明の押釦スイッチの他の実施例を示す平面図、図１０は同じく押釦スイッチの他の実施例を示す断面図、図１１は本発明の操作部材の他の実施例を示す斜視図、図１２は本発明の操作部材の他の実施例における押釦スイッチの枠体を外した状態を示す平面図である。
【００１８】
図１及び図２において、ハウジング１は、合成樹脂等の絶縁材からなり、収納部１ａを有する上面開口状の箱型に形成されている。この収納部１ａの内底部には、導電性の金属板からなる一対の固定接点２ａ、２ｂがインサート成形等の方法により一部が内底面に表出されて一体に埋設されている。また、ハウジング１の対向する一対の側面の下方側には、前記一対の固定接点２ａ、２ｂから導出された外部端子３ａ、３ｂが突出して形成されている。
【００１９】
また、ハウジング１の他の一側面には、前記収納部１ａに連通する窓口部１ｂが設けられており、この窓口部１ｂから後述する操作部材６の押圧部６ａが突出されてスライド部６ｄが収納部１ａ内に収納されるものとなっている。また、ハウジング１の四角部には、後述する蓋体７の係止片７ｃが係合される外方へ突出する係合凸部１ｃが形成されている。
【００２０】
前記収納部１ａの一対の固定接点２ａ、２ｂ上には、導電性の薄板金属板でドーム状に湾曲して反転可能に形成された可動接点４が載置されている。この可動接点４は、ドーム状の頂部下面が内底面に表出された一方の固定接点２ａと一定の間隔を維持して対峙されており、また、ドーム状の外周の周縁部が図２では省略されているが収納部１ａの内底面に表出された他方の固定接点２ｂと接触した状態で配置されている。尚、本実施例では可動接点４は２枚重合した状態で載置されており、このため反転動作時の作動力及び復帰力が大きくなるように形成されている。
【００２１】
また、可動接点４の上面側には、ポリアミド樹脂等の絶縁性の樹脂シート材からなる防塵シート５が配設されている。この防塵シート５は周縁部が前記ハウジング１の収納部１ａ上面に載置されて収納部１ａの開口を覆うように接着剤などで固着されており、収納部１ａ内に配設された各接点部へのゴミ、異物等の侵入を防止している。
【００２２】
図３及び図４に示すように、操作部材６は、合成樹脂等の絶縁材からなり、前記ハウジング１の窓口部１ｂから突出する押圧部６ａと、この押圧部６ａから前記収納部１ａ内に突出して形成された作動部６ｂと、この作動部６ｂの周りに設けられた開口部６ｃを介して前記作動部６ｂの両側部及び後部を囲むように押圧部６ａに接続して形成されたスライド部６ｄとを有している。そして、操作部材６は、前記収納部１ａに配設された防塵シート５の上面側に配置され、押圧部６ａが前記ハウジング１の窓口部１ｂから突出されると共に、作動部６ｄの自由端である当接部６ｅが前記防塵シート５を挟んで前記可動接点４のドーム状の頂部上面に対向して配設され、スライド部６ｄが前記収納部１ａ内に摺動可能に収納されている。
【００２３】
図５及び図６に示すように、蓋体７は、金属板を打ち抜き折り曲げることにより形成されており、前記ハウジング１の上部に取り付けられて収納部１ａを覆うように平板状に形成された上板７ａと、この上板７ａの四角部から略直角に折り曲げられ、Ｌ字状に下方に垂下された４個の取付脚７ｂとを有している。また、この取付脚７ｂの先端には係止片７ｃが設けられており、この係止片７ｃを前記ハウジング１の四角部に設けられた前記係止凸部１ｃに係止することにより蓋体７が前記ハウジング１上部に取り付けられている。
【００２４】
また、上板７ａの略中央には、前記ハウジング１の収納部１ａ内に折り曲げられて形成され、前記操作部材６の作動部６ｂの当接部６ｅと当接してこの作動部６ｂを前記可動接点４の押圧方向へ案内する案内部が形成されている。この案内部は、上板７ａの板面を前記ハウジング１の収納部１ａ内へ前記操作部材６の押圧方向に沿って折り曲げられた略４５度の斜面からなる傾斜部７ｄと、この傾斜部７ｄの両側部に連続して設けられると共に、上板７ａと接続された略三角形状からなる一対の接続部７ｅとから形成されている。
【００２５】
前記案内部を前記蓋体７に形成する場合には、まず、蓋体７の上板７ａで案内部の後端となる位置に、プレス等でやや細長の切り欠き部７ｆを形成し、次に、プレス等でこの切り欠き部７ｆの前方を下方へ略４５度折り曲げることにより、前記傾斜部７ｄと、この傾斜部７ｄの両側部に連続した略三角形状の一対の接続部７ｅを形成する。尚、この場合、接続部７ｅは、折り曲げ加工を施すことで引き伸ばされた三角形状のものが形成されるものとなる。
【００２６】
前記蓋体７が前記ハウジング１の上部に取り付けられた際には、前記傾斜部７ｄ及び接続部７ｅが、前記操作部材６のスライド部６ｄに設けられた開口部６ｃ内に位置して配置されるものとなる。この時、前記傾斜部７ｄが操作部材６の作動部６ｂの当接部６ｅ（自由端）に対向して配置されている。また、前記傾斜部７ｄ及び接続部７ｅは、後端を細長の切り欠き部７ｆで切り欠いて形成されており、このように開口部６ｃ内に折り曲げられた傾斜部７ｄ及び接続部７ｅの後端側を切り欠くことにより、スライド部６ｄが収納部１ａ内を摺動する際に傾斜部７ｄ及び接続部７ｅがスライド部６ｄの開口部６ｃ後端と当接するのを防止している。
【００２７】
そして、前記操作部材６の押圧部６ａが横方向から押圧されることにより、前記傾斜部７ｄに前記作動部６ｂの当接部６ｅ（自由端）が当接することで該当接部６ｅが前記可動接点４の押圧方向（押圧部６ａの押圧方向と直交する下方向）へ案内され、可動接点４が下方へ押圧され前記固定接点２ａと接触するものとなっている。
【００２８】
また、本実施例では、前記傾斜部７ｄ、あるいは前記作動部６ｂの当接部６ｅ（自由端）には、表面にフッ素系樹脂をコーティングすることにより低摩擦部材（図示せず）が設けられている。このように傾斜部７ｄ、あるいは作動部６ｂの当接部６ｅに、低摩擦部材を設けることにより、傾斜部７ｄと作動部６ｂの当接部６ｅとの摺動による摩擦抵抗を減らすことができるので、操作性が良好となっている。また、傾斜部７ｄ、あるいは作動部６ｂの当接部６ｅの表面に、フッ素系樹脂をコーティングすることにより低摩擦部材を形成したので、容易に低摩擦部材を形成でき、確実に摩擦抵抗を減らすことができるものとなっている。
尚、フッ素系樹脂をコーティングする代わりに、作動部６ｂを、フッ素系樹脂を練り込んだ成形樹脂で形成することにより前記低摩擦部材を形成するようにしても良い。この場合にも同様な効果が得られるものとなる。
【００２９】
上記した実施例によれば、前記蓋体７には、上板７ａの案内部の後端を切り欠いて下方へ折り曲げることにより前記傾斜部７ｄ及び接続部７ｅを形成し、この傾斜部７ｄ及び接続部７ｅを前記操作部材６のスライド部６ｄの開口部６ｃ内に位置させると共に、前記傾斜部７ｄと前記作動部６ｂの当接部６ｅとを対向させて配置している。そして、前記操作部材６を、両側部と後部とが接続された前記スライド部６ｄにより収納部１ａ内を摺動するように形成したので、前記押圧部６ａの傾きや成形時の変形を防止して確実に摺動案内できるようになっている。また、案内部の後端を切り欠くことにより、前記スライド部６ｄと傾斜部７ｄ及び接続部７ｅとの当接を回避することができ、スライド部６ｄの開口部６ｃを大きくする必要がないのでスイッチの奥行き方向の小型化が図れるものとなっている。
【００３０】
次に、上記構成の押釦スイッチの動作について図７及び図８を用いて説明する。
まず、図７に示す初期の状態では、操作部材６は、作動部６ｂの当接部６ｅ（自由端）が防塵シート５を介して可動接点４のドーム状の頂部上面に当接されている。そして、可動接点４が有する上方への弾性付勢力と、蓋体７の傾斜部７ｄの傾斜面との相乗作用により、図示左方向（押圧部６ａの押圧方向とは逆方向）に付勢されて押圧部６ａは外方へ突出されている。この時、可動接点４は外周の周縁部が固定接点２ｂと接触しているがドーム状の頂部下面が固定接点２ａと離間しておりスイッチはオフ状態となっている。
【００３１】
この状態から、押圧部６ａが図示右方向へ押圧されると、図８に示すように、作動部６ｂの当接部６ｅ（自由端）が傾斜部７ｄに沿って図示下方向（押圧部６ａの押圧方向とは直交する下方向）に案内され、防塵シート５を介して可動接点４のドーム状の頂部上面を押圧することで可動接点４が下方へ反転するものとなる。そして、可動接点４のドーム状の頂部下面が固定接点２ａと接触することで、固定接点２ａと２ｂが電気的に接続され、スイッチがオン状態となる。
【００３２】
この状態から、押圧部６ａへの押圧が解除されると、可動接点４は自身が有する反転復帰力により上方へ反転復帰し、スイッチがオフ状態となる。そして、この時の付勢力で作動部６ｂの当接部６ｅは、先ほどとは逆に傾斜部７ｄに沿って図示左方向（押圧部６ａの押圧方向とは逆方向）に付勢されて押圧部６ａが外方へ突出して初期の状態に復帰するものとなる。
【００３３】
上記した本発明の実施例によれば、前記操作部材６の押圧部６ａを横方向から押圧することにより、金属板製の前記蓋体７に形成した案内部に前記作動部６ｂの当接部６ｅを当接させて該当接部６ｅを前記可動接点４の押圧方向へ案内して前記可動接点４を前記固定接点２ａと接離させる押釦スイッチの構造であって、前記案内部は、前記蓋体７より前記ハウジング１の収納部１ａ内に前記操作部材６の押圧方向に沿って折り曲げられた前記傾斜部７ｄと、この傾斜部７ｄの両側部に連続して設けられると共に、前記蓋体７と接続された略三角形状の前記接続部７ｅとから形成したので、前記案内部は前記傾斜部７ｄと接続する略三角形状の前記接続部７ｅで前記蓋体７と接続されて一体化されるため、過大な衝撃や高荷重を受けた場合の押圧による前記傾斜部７ｄの傾斜角度の変化を抑制できるので、前記蓋体７の材料選択の自由度が増し、安価に提供することができるものとなる。また、前記蓋体７の板厚を薄くできるので、小型化が図れると共に、前記蓋体７の天面の開口部を小さくできるので、自動機での吸引による搬送が可能となり、組立性が向上するものとなっている。
【００３４】
図９及び図１０は、本発明の押釦スイッチの他の実施例を示している。尚、上記実施例で説明した同一部品については同一符号を付してその説明を省略する。
この場合、上記した実施例と異なるのは、蓋体に形成した案内部の構成が一部相違している点である。すなわち、本実施例の蓋体８は、金属板を打ち抜き折り曲げることにより形成され、前記ハウジング１の上部に取り付けられて収納部１ａを覆うように平板状に形成された上板８ａと、この上板８ａの四角部から略直角に折り曲げられ、Ｌ字状に下方に垂下された４個の取付脚（図示せず）とを有している点では同一の構成である。
【００３５】
また、上板８ａの略中央には、前記ハウジング１の収納部１ａ内に折り曲げられて形成され、前記操作部材６の作動部６ｂの当接部６ｅと当接してこの作動部６ｂを前記可動接点４の押圧方向へ案内する案内部が形成されている。また、案内部は、上板８ａの板面を前記ハウジング１の収納部１ａ内へ前記操作部材６の押圧方向に沿って折り曲げられた略４５度の斜面からなる傾斜部８ｄと、この傾斜部８ｄの両側部に連続して設けられると共に、上板８ａと接続された略三角形状からなる一対の接続部８ｅとから形成されている点においても同一の構成である。
【００３６】
一方、本実施例においては、前記案内部を前記蓋体８に形成する場合には、まず、蓋体８の上板８ａで案内部の後端となる位置に、プレス等で一対の丸孔８ｆを形成し、次に、プレス等でこの一対の丸孔８ｆ間の前方を下方へ略４５度切り曲げることにより、前記傾斜部８ｄと、この傾斜部８ｄの両側部に連続した略三角形状の一対の接続部８ｅを形成する。尚、この場合にも、接続部８ｅは、切り曲げ加工を施すことで引き伸ばされた三角形状のものが形成されるものとなる。
尚、案内部の切り曲げ加工を行う際に、加工を容易にするため前記一対の丸孔８ｆ、８ｆ間に、図９に示すようなスリット部８ｇを設けるようにしても良い。
【００３７】
前記蓋体８が前記ハウジング１の上部に取り付けられた際には、同じく前記傾斜部８ｄ及び接続部８ｅが、前記操作部材６のスライド部６ｄに設けられた開口部６ｃ内に位置して配置されるものとなる。この時にも同じく、前記傾斜部８ｄが操作部材６の作動部６ｂの当接部６ｅ（自由端）に対向して配置されている。また、前記傾斜部８ｄ及び接続部８ｅは、プレス等の切り曲げ加工時に後端が切り欠かれた状態に形成されており、このように開口部６ｃ内に折り曲げられた傾斜部８ｄ及び接続部８ｅの後端側が切り欠かれていることにより、スライド部６ｄが収納部１ａ内を摺動する際に傾斜部８ｄ及び接続部８ｅがスライド部６ｄの開口部６ｃ後端と当接するのを防止することができる。
【００３８】
そして、前記操作部材６の押圧部６ａが横方向から押圧された時には、同じように前記傾斜部８ｄに前記作動部６ｂの当接部６ｅ（自由端）が当接することで該当接部６ｅが前記可動接点４の押圧方向（押圧部６ａの押圧方向と直交する下方向）へ案内され、可動接点４が下方へ押圧され前記固定接点３ａと接触するものとなっている。
【００３９】
上記した本実施例によれば、蓋体８には、上板８ａの案内部の後端を下方へ切り曲げることにより前記傾斜部８ｄ及び接続部８ｅを形成し、この傾斜部８ｄ及び接続部８ｅを前記操作部材６のスライド部６ｄの開口部６ｃ内に位置させると共に、前記傾斜部８ｄと作動部６ｂの当接部６ｅとを対向させて配置している。そして同じく、前記操作部材６は、両側部と後部とが接続された前記スライド部６ｄにより摺動部１ａ内を摺動するように形成されているので、前記押圧部６ａの傾きや成形時の変形を防止して確実に摺動案内できると共に、案内部の後端を切り欠くことにより前記スライド部６ｄと傾斜部８ｄ及び接続部８ｅとの当接を回避することができ、スライド部６ｄの開口部６ｃを大きくする必要がないので、スイッチの奥行き方向の小型化が図れるものとなっている。
【００４０】
図１１及び図１２は、本発明の操作部材の他の実施例を示している。尚、上記実施例で説明した同一部品については同一符号を付してその説明を省略する。
この場合、操作部材９は、合成樹脂等の絶縁材からなり、前記ハウジング１の窓口部１ｂから突出する押圧部９ａと、この押圧部９ａから前記収納部１ａ内に突出して形成された作動部９ｂと、この作動部９ｂの周りに設けられた開口部９ｃを介して前記作動部９ｂの両側部及び後部を囲むように押圧部９ａに接続して形成されたスライド部９ｄとを有している。
【００４１】
そして、操作部材９は、前記収納部１ａに配設された防塵シート５の上面側に配置され、押圧部９ａが前記ハウジング１の窓口部１ｂから突出されると共に、作動部９ｄの自由端である当接部が前記防塵シート５を挟んで前記可動接点４のドーム状の頂部上面に対向して配設され、スライド部９ｄが前記収納部１ａ内に摺動可能に収納されている。
【００４２】
また、作動部９ｄの自由端である当接部は、上面側に設けられた半円筒状部９ｅと、下面側に設けられた駆動部９ｆとを有しており、上面側の半円筒状部９ｅが前記枠体７に設けられた案内部を構成する前記傾斜部７ｄと対向され、下面側の駆動部９ｆが前記可動接点４のドーム状の頂部上面に対向して配設されている。また、この半円筒状部９ｅは、前記枠体７の前記傾斜部７ｄとの摺動面が線接触となるように、摺動方向を横切る方向に延びる半円筒状に形成されており、また、駆動部９ｆは、図示はしないが前記可動接点４のドーム状の頂部上面に向かって膨出する先細状に形成されている。
【００４３】
そして、前記操作部材９の押圧部９ａが横方向から押圧されることにより、前記傾斜部７ｄに前記作動部９ｂの自由端である当接部の半円筒状部９ｅが当接することで該当接部が前記可動接点４の押圧方向（押圧部９ａの押圧方向と直交する下方向）へ案内され、下面側に膨出して形成された駆動部９ｆにより可動接点４が下方へ押圧され前記固定接点２ａと接触するものとなっている。
【００４４】
上記した本実施例によれば、前記操作部材７の作動部９ｄの当接部に、前記枠体７の傾斜部７ｄとの摺動面が線接触となるように、作動部９ｄの摺動方向を横切る方向に延びる半円筒状部９ｅを形成したことから、半球状などの先細状の構成からなる点による摺動（点接触）に対して、摺動方向を横切る方向に延びる線（面）による摺動（線接触）にできるため、傾斜部７ｄと作動部９ｄとの摺動による摩耗を抑制することができるので、長寿命化が可能となっている。
また、ドーム状の前記可動接点４に対して作動部９ｄの左右のずれを矯正できるので、下面側に形成された前記駆動部９ｆによってドーム状の可動接点４の頂部を確実に押圧でき、良好な操作感触が得られるものとなっている。
【図面の簡単な説明】
【００４５】
【図１】本発明の押釦スイッチを示す平面図である。
【図２】本発明の押釦スイッチを示す断面図である。
【図３】本発明の押釦スイッチの枠体を外した状態を示す平面図である。
【図４】本発明の押釦スイッチの蓋体を外した状態を示す断面図である。
【図５】本発明の蓋体を示す平面図である。
【図６】本発明の蓋体を示す断面図である。
【図７】本発明の押釦スイッチの動作状態を示す説明図である。
【図８】本発明の押釦スイッチの動作状態を示す説明図である。
【図９】本発明の押釦スイッチの他の実施例を示す平面図である。
【図１０】本発明の押釦スイッチの他の実施例を示す断面図である。
【図１１】本発明の操作部材の他の実施例を示す斜視図である。
【図１２】本発明の操作部材の他の実施例における押釦スイッチの枠体を外した状態を示す平面図である。
【図１３】従来の押釦スイッチを示す分解斜視図である。
【図１４】従来の押釦スイッチを示す断面図である。
【符号の説明】
【００４６】
１：ハウジング
１ａ：収納部
１ｂ：窓口部
１ｃ：係合凸部
２ａ：固定接点
２ｂ：固定接点
３ａ：外部端子
３ｂ：外部端子
４：可動接点
５：防塵シート
６：操作部材
６ａ：押圧部
６ｂ：作動部
６ｃ：開口部
６ｄ：スライド部
６ｅ：当接部
７：蓋体
７ａ：上板
７ｂ：取付脚
７ｃ：係止片
７ｄ：傾斜部（案内部）
７ｅ：接続部（案内部）
７ｆ：切り欠き部
８：蓋体
８ａ：上板
８ｄ：傾斜部（案内部）
８ｅ：接続部（案内部）
８ｆ：丸孔
８ｇ：スリット部
９：操作部材
９ａ：押圧部
９ｂ：作動部
９ｃ：開口部
９ｄ：スライド部
９ｅ：半円筒状部（当接部）
９ｆ：駆動部（当接部）
【図１】
2006244977.tif 000003
【図２】
2006244977.tif 000004
【図３】
2006244977.tif 000005
【図４】
2006244977.tif 000006
【図５】
2006244977.tif 000007
【図６】
2006244977.tif 000008
【図７】
2006244977.tif 000009
【図８】
2006244977.tif 000010
【図９】
2006244977.tif 000011
【図１０】
2006244977.tif 000012
【図１１】
2006244977.tif 000013
【図１２】
2006244977.tif 000014
【図１３】
2006244977.tif 000015
【図１４】
2006244977.tif 000016